(57)【特許請求の範囲】
【請求項１】
上下端面間に中空孔を並設して略矩形板状の外装パネルを形成し、この外装パネルを建物の壁面に取り付ける外装パネルの取付構造であって、壁面に設けた支持金具に軸材を立設し、この軸材を中空孔に挿入した状態で支持金具に外装パネルを支持させてなるものであり、壁面に固定される固定板と、この固定板前面に突設され軸材がスライド可能に貫通する長孔を備えた保持板と、この保持板下方の固定板前面に突設され軸材を支持する支持板と、から支持金具を形成して、軸材を横方向にスライド可能に同支持金具に受けるようになしたことを特徴とする外装パネルの取付構造。
【請求項２】
軸材を中空孔よりも長く形成し、軸材を中空孔に挿入したときに軸材の外装パネル上端面に突出する部分を突出部となし、この突出部を壁面に設けた固定金具に保持させてなることを特徴とする請求項１記載の外装パネルの取付構造。
【発明の詳細な説明】
【０００１】
【発明の属する技術分野】
本発明は、建物の壁面に外装パネルを取り付ける外装パネルの取付構造に関し、特に、上下端面間に複数の中空孔が並設された略矩形板状の外装パネルを取り付ける外装パネルの取付構造に関する。
【０００２】
【従来の技術】
従来、外装パネルの取付構造では、外装パネルを建物の壁面に釘着して取り付けている。外装パネルは、押し出し成形により上下方向に長尺の矩形板状に形成され、両端部に雄実部及び雌実部、上下端面間に複数の中空孔を備えている。そして、外装パネルを建物の壁面に位置合わせて当接させた状態で複数の固定釘を外装パネル表面の適所に打ち込み壁面に釘着する。さらに、外装パネルの雌実部に他の外装パネルの雄実部を重ねた状態で横方向に外装パネルを並設している。
【０００３】
【発明が解決しようとする課題】
しかしながら、上記従来の外装パネルの取付構造では、外装パネルを壁面に当接支持した状態で固定釘を打釘しなければならず、施工が面倒であるとともに、固定釘頭部が外装パネル表面に露出し、外観上好ましくないという問題がある。
【０００４】
本発明は、上記事由に鑑みてなしたもので、その目的とするところは、外装パネルの外観が向上するとともに、施工の簡単な外装パネルの取付構造を提供することにある。
【０００５】
【課題を解決するための手段】
上記目的を達成するために、請求項１記載の発明は、上下端面間に中空孔を並設して略矩形板状の外装パネルを形成し、この外装パネルを建物の壁面に取り付ける外装パネルの取付構造であって、壁面に設けた支持金具に軸材を立設し、この軸材を中空孔に挿入した状態で支持金具に外装パネルを支持させてなることを特徴として構成している。
【０００６】
このような外装パネルの取付構造では、壁面に設けた支持金具に立設した軸材を中空孔に挿入した状態で外装パネルが支持金具に支持されているため、外装パネルを簡単に壁面に取り付けることができる。
【０００７】
また、請求項２記載の発明は、請求項１記載の発明において、軸材を中空孔よりも長く形成し、軸材を中空孔に挿入したときに軸材の外装パネル上端面に突出する部分を突出部となし、この突出部を壁面に設けた固定金具に保持させてなることを特徴として構成している。
【０００８】
このような外装パネルの取付構造では、中空孔よりも長い軸材を中空孔に挿入し、軸材上端部の外装パネル上端面に突出する突出部が壁面に設けた固定金具に保持しているため、軸材が上下で固定され、外装パネルを前方へ倒さないように強固に壁面に取り付けることができる。
【０００９】
更に、請求項１記載の発明は、軸材を横方向にスライド可能に支持金具に受けるようになしたことを特徴として構成している。
【００１０】
このような外装パネルの取付構造では、軸材が支持金具に支持された状態で横方向にスライド可能とされているため、軸材を支持金具上を横方向にスライドさせることにより軸材と中空孔孔との位置合わせが容易になっている。
【００１１】
しかも、請求項１記載の発明は、壁面に固定される固定板と、この固定板前面に突設され軸材がスライド可能に貫通する長孔を備えた保持板と、この保持板下方の固定板前面に突設され軸材を支持する支持板と、から支持金具を形成してなることを特徴として構成している。
【００１２】
このような外装パネルの取付構造では、支持板上に軸材下端を支持させた状態で、保持板の長孔を貫通した軸材を長孔横幅内で横方向にスライドさせることができる。
【００１３】
【発明の実施の形態】
以下、本発明の実施形態の外装パネルの取付構造を図１乃至図６に基づいて説明する。
【００１４】
図１は、本発明の実施形態の外装パネルの取付構造を示す斜視図である。また、図２は、同上の外装パネルの取付構造を示す正面図である。また、図３は、同上の外装パネルの取付構造を示す縦断面図であり、（ａ）は、外装パネル２上端部、（ｂ）は、外装パネル２下端部である。
【００１５】
図１乃至図３に示すように、この外装パネルの取付構造は、上下端面間に中空孔１を並設して略矩形板状の外装パネル２を形成し、この外装パネル２を建物の壁面３に取り付けるものであり、壁面３に設けた支持金具４に軸材６を立設し、この軸材６を中空孔１に挿入した状態で支持金具４に外装パネル２を支持させている。また、軸材６を中空孔１よりも長く形成し、軸材６を中空孔１に挿入したときに軸材６の外装パネル２上端面に突出する部分を突出部となし、この突出部を壁面３に設けた固定金具５に保持させている。また、軸材６を横方向にスライド可能に支持金具４に受けるようにしている。また、壁面３に固定される固定板４ａと、この固定板４ａ前面に突設され軸材６がスライド可能に貫通する長孔４ｃを備えた保持板４ｂと、この保持板４ｂ下方の固定板４ａ前面に突設され軸材６を支持する支持板４ｄと、から支持金具４を形成している。
【００１６】
外装パネル２は、成形材料を押し出し成形して上下方向に長尺の矩形板状に形成され、両端部に雄実部及び雌実部、上下端面間に複数の中空孔１を備えている。そして、建物の壁面３に固定した外装パネル２の雌実部に他の外装パネル２の雄実部を重ねた状態で他の外装パネル２を壁面３に固定し、横方向に外装パネル２を並設している。雌実部は、外装パネル２の一方の側端面に外装パネル２後部を延設して形成され、雄実部は、外装パネル２の他方の側端面に外装パネル２前部を延設して形成されている。雌実部及び雄実部は横幅が略同寸に形成され、雌実部の前側に雄実部を重ねて外装パネル２が横方向に連結される。中空孔１は、上下方向に直線状に横長楕円孔形状に形成され、横方向に略均等な間隔を隔てて複数並設されている。
【００１７】
軸材６は、中空孔１を貫通できる太さを有する丸棒で形成され、全長が中空孔１よりもやや長く形成されている。この軸材６は、一つの外装パネル２に対して両側端及び中央の中空孔１に対応する３個を目安として用いられる。
【００１８】
支持金具４は、一本の軸材６に対して一個使用されるものであり、横長の金属矩形板を立てた状態で下端部を前側に曲折して固定板４ａ及び支持板４ｄが形成され、固定板４ａ略中央を横長矩形板状に切り起こして保持板４ｂが形成されている。固定板４ａ上端部には、固定釘１１脚部が貫通するための釘孔４ｅが横方向に並設され、保持板４ｂには、横長の長孔４ｃが形成されている。
【００１９】
固定金具５は、支持金具４の上下逆さまにした形状と略同形状に形成され、横長の金属矩形板を立てた状態で上下２カ所部分を横長矩形板状に切り起こして形成され、壁面３に固定される上固定板５ａと、上側の切り起こし部からなる押さえ板５ｄと、下側の切り起こし部からなる上保持板５ｂとを備えている。上固定板５ａ上端部には、固定釘１１脚部が貫通するための釘孔５ｅが横方向に並設され、上保持板５ｂには、横長の長孔５ｃが形成されている。
【００２０】
また、支持金具４と壁面３との間には水切り板１０が介設されている。水切り板１０は、金属矩形板を立てた状態で略中央で下部を前側斜め後方に曲折して固定部１０ａ及び水切り部１０ｂが形成されている。水切り部１０ｂは、前端部が鉛直下方に曲折して水切り前部１０ｃている。固定部１０ａ上端部には、固定釘１１脚部が貫通するための釘孔が横方向に並設されている。
【００２１】
このような外装パネル２は次のようにして壁面３に取り付けられる。まず、壁面３下端部に水切り板１０の固定部１０ａを当接させ、固定部１０ａ前面に支持金具４の固定板４ａを両釘孔４ｅを連通させて当接させ、両釘孔４ｅに貫通させて固定釘１１脚部を壁面３に打釘することにより、支持金具４及び水切り板１０を壁面３に固定する。この支持金具４は、外装パネル２の両側端及び中央の中空孔１に対応する位置に取り付けられる。次に、軸材６を外装パネル２の両側端及び中央の中空孔１にそれぞれ貫通させ、各軸材６下端部を対向する保持板４ｂの長孔４ｃに上方から貫通させ、軸材６下端を固定板４ａ上面に当接支持させた状態で、外装パネル２下端を保持板４ｂの長孔４ｃ周囲部に支持させる。このとき、軸材６上端部の突出部が外装パネル２上端面に突出している。さらに、突出部に上保持板５ｂの長孔５ｃを下方から貫通させ、突出部上端を押さえ板５ｄ下面に当接させた状態で上固定板５ａを壁面３に当接させ、釘孔５ｅに貫通させて固定釘１１脚部を壁面３に打釘することにより、固定金具５を壁面３に固定する。
【００２２】
このような外装パネルの取付構造では、壁面３に設けた支持金具４に立設した軸材６を中空孔１に挿入した状態で外装パネル２が支持金具４に支持されているため、外装パネル２を簡単に壁面３に取り付けることができる。したがって、固定釘１１を用いることなく外装パネル２を壁面３に取り付けでき、外装パネル２の外観が向上するとともに、施工が簡単になっている。また、中空孔１よりも長い軸材６を中空孔１に挿入し、軸材６上端部の外装パネル２上端面に突出する突出部が壁面３に設けた固定金具５に保持しているため、軸材６が上下で固定され、外装パネル２を前方へ倒さないように強固に壁面３に取り付けることができる。また、軸材６が支持金具４に支持された状態で横方向にスライド可能とされているため、軸材６を支持金具４の長孔４ｃ内で横方向にスライドさせることにより軸材６と長孔４ｃとの位置合わせが容易になり、支持金具４の位置精度が要求されず、支持金具４の固定が簡単になっている。また、水切り板１０によって外装パネル２下端より雨水が壁面３に流下せず、壁面３前方に流下させることができる。
【００２３】
図４は、本発明の参考例となる外装パネルの取付構造を示す斜視図である。また、図５は、同上の外装パネルの取付構造を示す縦断面図である。また、図６は、同上の外装パネルの取付構造を示す正面図である。
【００２４】
図４乃至図６に示すように、この外装パネルの取付構造は、同上の外装パネルの取付構造と略同様に形成され、上下端面間に中空孔１を並設して略矩形板状の外装パネル２を形成し、この外装パネル２を建物の壁面３に取り付けるものである。そして、壁面３に設けた支持金具４に軸材６を立設し、この軸材６を中空孔１に挿入した状態で支持金具４に外装パネル２を支持させている。また、軸材６を横方向にスライド可能に支持金具４に受けるようにしている。また、横方向に隣接する両外装パネル２は、壁面３に設けた連結金具９により連結している。
【００２５】
外装パネル２は、前述した外装パネル２と同様のものを用い、成形材料を押し出し成形して上下方向に長尺の矩形板状に形成され、両端部に雄実部及び雌実部、上下端面間に複数の中空孔１を備えている。
【００２６】
軸材６は、短尺の軸片８で形成され、中空孔１下端部に挿入される短尺丸棒状の軸部８ａと、この軸部８ａ下端に設けた中空孔１よりも大きい外形を有する軸支持台８ｂとから形成されている。
【００２７】
支持金具４は、複数の軸材６に対して一個使用されるものであり、壁面３横幅あるいは外装パネル２横幅程度の横長長尺部材で形成されている。この支持金具４は、板部７とレール部１２とから形成されている。板部７は、横長金属矩形板を立てた状態で略中央で下部を前側斜め後方に曲折して固定板７ａ及び水切り板７ｂが形成されている。水切り板７ｂは、前端部が鉛直下方に曲折されている。固定板７ａ上端部には、固定釘１１脚部が貫通するための釘孔７ｃが横方向に並設されている。
【００２８】
レール部１２は、上面部、下面部、前面部及び後面部から横長長尺の角筒状に形成されている。上面部には、横方向に真っ直ぐに開口した溝部１２ａが形成されている。溝部１２ａは、軸部８ａ外径よりも大きい溝幅を有し、軸材６の軸部８ａが貫通スライドできるようにしている。また、角筒状のレール部１２の内部空間は、縦断面が軸材６の軸支持台８ｂ縦断面と略同形状でやや大きく形成され、この内部空間に軸支持台８ｂが貫通スライドできるようにしている。このレール部１２は、後面部後面が固定板７ａ下端部に固着されて板部７と一体に形成されている。
【００２９】
連結金具９は、横方向に隣接する両外装パネル２間に上下方向に適当な間隔を隔てて複数並設されるものであり、壁面３に固定される固定部と、外装パネル２の雌実部を係合保持する係合部９ａとから形成されている。係合部９ａは、矩形板状の固定部を立てた状態で略中央部を一横側に垂直に切り起こして形成されている。係合部９ａは、前端部が横方向に曲折され、雌実部に外観するようにしている。固定部における係合部９ａと反対の側端部には、固定釘１１脚部が貫通するための釘孔が縦方向に並設されている。
【００３０】
このような外装パネル２は次のようにして壁面３に取り付けられる。まず、壁面３下端部に固定板７ａを当接させ、釘孔７ｃに貫通させて固定釘１１脚部を壁面３に打釘することにより、支持金具４を壁面３に水平に固定する。次に、軸支持台８ｂを側方よりレール部１２の内部空間に挿入し、軸部８ａ下端部を溝部１２ａに内間させて、複数の軸材６を支持金具４に取り付け保持させる。次に、各軸材６をレール部１２にスライドさせて外装パネル２の両側端及び中央の中空孔１と対応する位置に配置する。さらに、外装パネル２を上に位置保持させ、軸材６の軸部８ａを対応する中空孔１にそれぞれ貫通させた状態で、外装パネル２下端をレール部１２の上面部上に支持させる。そして、壁面３に取り付けた外装パネル２の雌実部に側方から係合部９ａを外観させた状態で、壁面３下端部に固定部１０ａを当接させ、釘孔７ｃに貫通させて固定釘１１脚部を壁面３に打釘することにより、複数の連結金具９を壁面３に鉛直方向に適宜の間隔を隔てて固定する。
【００３１】
このような外装パネルの取付構造では、壁面３に設けた支持金具４に立設した軸材６を中空孔１に挿入した状態で外装パネル２が支持金具４に支持されているため、外装パネル２を簡単に壁面３に取り付けることができる。また、軸材６が支持金具４に支持された状態で横方向にスライド可能とされているため、軸材６を支持金具４のレール部１２で横方向にスライドさせることにより軸材６と長孔４ｃとの位置合わせが容易になっている。また、水切り板７ｂによって外装パネル２下端より雨水が壁面３に流下せず、壁面３前方に流下させることができる。
【００３２】
【発明の効果】
請求項１記載の発明では、壁面に設けた支持金具に立設した軸材を中空孔に挿入した状態で外装パネルが支持金具に支持されているため、外装パネルを簡単に壁面に取り付けることができる。したがって、固定釘を用いることなく外装パネルを壁面に取り付けでき、外装パネルの外観が向上するとともに、施工が簡単になっている。
【００３３】
また、請求項２記載の発明では、中空孔よりも長い軸材を中空孔に挿入し、軸材上端部の外装パネル上端面に突出する突出部が壁面に設けた固定金具に保持しているため、軸材が上下で固定され、外装パネルを前方へ倒さないように強固に壁面に取り付けることができる。
【００３４】
更に、請求項１記載の発明では、軸材が支持金具に支持された状態で横方向にスライド可能とされているため、軸材を支持金具上を横方向にスライドさせることにより軸材と中空孔孔との位置合わせが容易になっている。
【００３５】
しかも、請求項１記載の発明では、支持板上に軸材下端を支持させた状態で、保持板の長孔を貫通した軸材を長孔横幅内で横方向にスライドさせることができる。
【図面の簡単な説明】
【図１】本発明の実施形態の外装パネルの取付構造を示す斜視図である。
【図２】同上の外装パネルの取付構造を示す正面図である。
【図３】同上の外装パネルの取付構造を示す縦断面図であり、（ａ）は、外装パネル上端部、（ｂ）は、外装パネル下端部である。
【図４】本発明の参考例となる外装パネルの取付構造を示す斜視図である。
【図５】同上の外装パネルの取付構造を示す縦断面図である。
【図６】同上の外装パネルの取付構造を示す正面図である。
【符号の説明】
１    中空孔
２    外装パネル
３    壁面
４    支持金具
４ａ    固定板
４ｂ    保持板
４ｃ    長孔
４ｄ    支持板
４ｅ    釘孔
５    固定金具
５ａ    上固定板
５ｂ    上保持板
５ｃ    長孔
５ｄ    押さえ板
６    軸材
７    板部
７ａ    固定板
７ｂ    水切り板
７ｃ    釘孔
８    軸片
８ａ    軸部
８ｂ    軸支持台
９    連結金具
９ａ    係合部
１０    水切り板
１０ａ    固定部
１０ｂ    水切り部
１０ｃ    水切り前部
１１    固定釘
１２    レール部
１２ａ    溝部
【図１】
0003545955.tif 000002
【図２】
0003545955.tif 000003
【図３】
0003545955.tif 000004
【図４】
0003545955.tif 000005
【図５】
0003545955.tif 000006
【図６】
0003545955.tif 000007